(57)【特許請求の範囲】
【請求項１】
アナログ楽器で生成されるアナログオーディオ信号をＡ／Ｄ変換してディジタルオーディオ信号として出力するためのディジタル入出力端子を備える入出力機器インターフェイスと、
この入出力機器インターフェイスを介して入力されるディジタルオーディオ信号に楽音の信号処理を施すための信号処理手段と、
この信号処理手段を制御するための主制御手段と、
この主制御手段に、前記信号処理手段の制御を行うための動作を指示するための操作手段と
を備えたアナログ楽器のディジタルインターフェイスであって、
前記操作手段は、前記信号処理手段による信号処理のオン／オフを指示するために操作される第１の操作子と、前記アナログオーディオ信号の音量あるいは音色の変更及び該信号処理における各種のパラメータの変更のうち少なくともいずれか一つを指示するために操作される第２の操作子とを有し、
前記主制御手段は、
前記第１の操作子の操作状態が前記信号処理のオンを指示している場合に、前記第２の操作子への操作によって前記信号処理手段における前記パラメータの変更を制御可能にするとともに、
前記第１の操作子の操作状態が前記信号処理のオフを指示している場合に、前記第２の操作子への操作によって前記アナログオーディオ信号の音量あるいは音色の変更を制御可能にする
ことを特徴とするアナログ楽器のディジタルインターフェイス。
【請求項２】
前記主制御手段は、
前記第１の操作子の操作状態が前記信号処理のオンを指示し、かつ該信号処理におけるプリセット機能のオンを指示している場合に、前記第２の操作子への操作によって前記信号処理手段における該プリセット機能に応じた前記ディジタルオーディオ信号の音量あるいは音色の変更及び前記パラメータの変更を制御可能にするとともに、
前記第１の操作子の操作状態が前記信号処理のオンを指示し、かつ該信号処理におけるプリセット機能のオフを指示している場合に、前記第２の操作子への操作によって前記信号処理手段における該信号処理に対応する前記ディジタルオーディオ信号の音量あるいは音色の変更及び前記パラメータの変更を制御可能にする
ことを特徴とする請求項１記載のアナログ楽器のディジタルインターフェイス。
【請求項３】
アナログ楽器で生成されるアナログオーディオ信号をＡ／Ｄ変換してディジタルオーディオ信号として出力するためのディジタル入出力端子を備える入出力機器インターフェイスと、
この入出力機器インターフェイスを介して入力されるディジタルオーディオ信号に楽音の信号処理を施すための信号処理手段と、
この信号処理手段を制御するための主制御手段と、
この主制御手段に、前記信号処理手段の制御を行うための動作を指示するための操作手段と
を備え、
前記操作手段は、前記信号処理手段による信号処理のオン／オフを指示するために操作される第１の操作子と、前記アナログオーディオ信号の音量あるいは音色の変更及び該信号処理における各種のパラメータの変更のうち少なくともいずれか一つを指示するために操作される第２の操作子とを有し、
前記主制御手段は、前記第１の操作子の操作状態が前記信号処理のオンを指示している場合に、前記第２の操作子への操作によって前記信号処理手段における前記パラメータの変更を制御可能にするとともに、前記第１の操作子の操作状態が前記信号処理のオフを指示している場合に、前記第２の操作子への操作によって前記アナログオーディオ信号の音量あるいは音色の変更を制御可能にしてなるアナログ楽器のディジタルインターフェイスを備え、
前記信号処理手段で信号処理した前記ディジタルオーディオ信号を前記入出力機器インターフェイスを介して外部のディジタル機器に出力する
ことを特徴とするアナログ楽器。
【請求項４】
前記信号処理手段は、前記入出力機器インターフェイスを介して前記外部のディジタル機器から入力されるディジタルオーディオ信号に所望のエフェクト処理を施すものであることを特徴とする請求項３記載のアナログ楽器。
【請求項５】
請求項１又は２記載の前記ディジタルインターフェイスは、アナログ楽器本体に搭載又は内蔵されるものであることを特徴とするアナログ楽器。
【発明の詳細な説明】
【０００１】
【発明の属する技術分野】
本発明は、エレクトリックギターやエレクトリックベースギターなどのアナログ楽器とコンピュータやステレオ装置などのＡＶ（Audio-Visual）機器とを繋ぐインターフェイスに関し、特にアナログ楽器のアナログオーディオ信号をディジタルオーディオ信号に変換してＡＶ機器に出力するアナログ楽器のディジタルインターフェイス及びこれを備えたアナログ楽器に関する。
【０００２】
【従来の技術】
エレクトリックギターやエレクトリックベースギター等のいわゆる電気楽器は、通常、単独で閉じた機器となっており、電気楽器を演奏することにより生成されるアナログ電気信号であるアナログオーディオ信号の出力のみを行うものである。この電気楽器は、弦などの振動をアナログ電気信号に変換し、アンプ等で増幅してから発音する楽器であり、いわゆるソリッドタイプ（ボディに空洞のない）のエレクトリックギターやエレクトリックベースギター等はこの類に分類され、エレクトリック（電気）を使用して発音するものである。一方、アコースティック楽器は、アナログ電気信号を用いずに、弦の振動等によって発音する楽器であり、音を楽器本体の空洞内などで増幅するタイプのクラッシックギター、ウッドベース、バイオリン、チェロ等はこの類に分類され、アコースティック（弾性）を利用して発音するものである。なお、電気楽器には、アコースティック楽器に圧電素子等を搭載し、発音した音をアナログ電気信号に変換可能な楽器も含まれると考えられる。
【０００３】
上述したように、電気楽器は、アナログオーディオ信号の出力のみを行うものであるため、他の機器（例えば、ＡＶ機器）から電気楽器をコントロールすることや、他の機器を電気楽器がコントロールするというような制御は事実上困難であり、両者の双方向コントロールを実現することは難しかった。一般的に、電気楽器では、他の機器のコントロールはできないために、例えば出力されたアナログオーディオ信号をプリアンプやパワーアンプ等の機器に入力し、所望の音色に調整したり所望の音量に増幅したりしてスピーカ等の出力装置から出力することで演奏等が行われている。このような演奏等に際して、例えば電気楽器から出力されたアナログオーディオ信号に音質の変化を加える場合は、通常、電気楽器とプリアンプとの間やプリアンプとパワーアンプとの間に別途エフェクト装置等を繋いで音質をコントロールするのが一般的である。
【０００４】
【発明が解決しようとする課題】
しかしながら、このような電気楽器から出力されたアナログオーディオ信号は、文字通りアナログであるため、例えばディジタルエフェクト装置等で取り扱うためには別途アナログオーディオ信号をディジタル化するためのディジタル機器が必要となる。また、電気楽器から出力されたアナログオーディオ信号をコンピュータ等のディジタル楽器で扱うためには、同様に別途ディジタル化を行うための変換器等が必要となる。このように、電気楽器をディジタル的に扱うためには、電気楽器以外のディジタル機器の増設は必須であり、機材投資費がかかるという問題がある。また、折角ディジタル機器等を増設したとしても、これらの機器のコントロールは別途設けられた操作系を操作して行われるため、例えば電気楽器の演奏者等が手元で音質等を変更したり調整したりすることは困難であるという問題もある。更に、電気楽器にコンピュータ等のディジタル機器を接続して少なくとも電気楽器からディジタル機器へのコントロールを実現すれば、例えば出力された楽音の編集作業等を手元で行うことができるようになるため、演奏者にとっての利便性を向上させることができる。
【０００５】
本発明は、このような問題点を解決するためになされたもので、アナログ楽器（弦の振動などをアナログオーディオ信号に変換し、アンプ等で増幅してから発音するエレクトリックギター、エレクトリックベースギター等の電気楽器や、圧電素子、マイクロフォン、電磁ピックアップ等を設けて演奏音をアナログオーディオ信号に変換して出力可能なアコースティック楽器等）から出力されるアナログオーディオ信号をディジタルオーディオ信号に変換し楽音の信号処理を施してＡＶ機器に出力することができると共に、ＡＶ機器との双方向コントロールを実現することができるアナログ楽器のディジタルインターフェイス及びこれを備えたアナログ楽器を提供することを目的とする。
【０００６】
【課題を解決するための手段】
本発明に係るアナログ楽器のディジタルインターフェイスは、アナログ楽器で生成されるアナログオーディオ信号をＡ／Ｄ変換してディジタルオーディオ信号として出力するためのディジタル入出力端子を備える入出力機器インターフェイスと、この入出力機器インターフェイスを介して入力されるディジタルオーディオ信号に楽音の信号処理を施すための信号処理手段と、この信号処理手段を制御するための主制御手段と、この主制御手段に、前記信号処理手段の制御を行うための動作を指示するための操作手段とを備えたアナログ楽器のディジタルインターフェイスであって、前記操作手段は、前記信号処理手段による信号処理のオン／オフを指示するために操作される第１の操作子と、前記アナログオーディオ信号の音量あるいは音色の変更及び該信号処理における各種のパラメータの変更のうち少なくともいずれか一つを指示するために操作される第２の操作子とを有し、前記主制御手段は、前記第１の操作子の操作状態が前記信号処理のオンを指示している場合に、前記第２の操作子への操作によって前記信号処理手段における前記パラメータの変更を制御可能にするとともに、前記第１の操作子の操作状態が前記信号処理のオフを指示している場合に、前記第２の操作子への操作によって前記アナログオーディオ信号の音量あるいは音色の変更を制御可能にすることを特徴とする。
【０００７】
本発明に係るアナログ楽器は、アナログ楽器で生成されるアナログオーディオ信号をＡ／Ｄ変換してディジタルオーディオ信号として出力するためののディジタル入出力端子を備える入出力機器インターフェイスと、この入出力機器インターフェイスを介して入力されるディジタルオーディオ信号に楽音の信号処理を施すための信号処理手段と、この信号処理手段を制御するための主制御手段と、この主制御手段に、前記信号処理手段の制御を行うための動作を指示するための操作手段とを備え、前記操作手段は、前記信号処理手段による信号処理のオン／オフを指示するために操作される第１の操作子と、前記アナログオーディオ信号の音量あるいは音色の変更及び該信号処理における各種のパラメータの変更のうち少なくともいずれか一つを指示するために操作される第２の操作子とを有し、前記主制御手段は、前記第１の操作子の操作状態が前記信号処理のオンを指示している場合に、前記第２の操作子への操作によって前記信号処理手段における前記パラメータの変更を制御可能にするとともに、前記第１の操作子の操作状態が前記信号処理のオフを指示している場合に、前記第２の操作子への操作によって前記アナログオーディオ信号の音量あるいは音色の変更を制御可能にしてなるアナログ楽器のディジタルインターフェイスを備え、前記信号処理手段で信号処理した前記ディジタルオーディオ信号を前記入出力機器インターフェイスを介して外部のディジタル機器に出力することを特徴とする。
【０００８】
本発明によれば、アナログ楽器のディジタルインターフェイス内に入出力機器インターフェイス及び信号処理手段を備えるため、例えば楽音の信号処理を施したディジタルオーディオ信号を入出力機器インターフェイスを介して直接外部のＡＶ機器等に出力することができる。このため、アナログオーディオ信号を別途ディジタル化してアナログ楽器をディジタル的に取り扱うためのディジタル化機器等の機材投資費を抑えることができる。また、操作手段により信号処理手段の制御を指示することができるため、楽器の手元でディジタルオーディオ信号にエフェクト処理等の楽音の信号処理を施すことが可能となり、利便性を向上させることができる。更に、ディジタル入出力端子を備える入出力機器インターフェイスを有するため、例えば操作手段で外部に接続した外部機器等のソフトウェアをコントロールしたり、外部機器等から信号処理手段の動作をコントロールしたりするなどの双方向コントロールを実現することが期待できる。
【００１０】
また、信号処理手段は、入出力機器インターフェイスを介して入力されるディジタルオーディオ信号に所望のエフェクト処理を施すものであることが好ましい。これにより、ディジタルインターフェイス内で直接ディジタルオーディオ信号にエフェクト効果を付与してディジタルデータとして外部機器等に出力することができる。
【００１１】
更に、ディジタルインターフェイスは、例えばエレクトリックギターやエレクトリックベースギター等のアナログ楽器本体に搭載又は内蔵されるものであることが好ましい。これらのアナログ楽器の本体に搭載又は内蔵されれば、演奏者等の手元でのディジタル的なエフェクト処理や接続した外部機器等との連携が可能となり、利便性を向上させることができる。
【００１２】
【発明の実施の形態】
以下、添付の図面を参照して、この発明の実施の形態を説明する。
なお、本明細書において、弦の振動などを電気信号であるアナログオーディオ信号に変換し、アンプ等で増幅してから発音するエレクトリックギター、エレクトリックベースギター等の電気楽器や、圧電素子、マイクロフォン、電磁ピックアップ等を設けて演奏音を電気信号であるアナログオーディオ信号として変換して出力可能なアコースティック楽器等、アナログオーディオ信号を出力する楽器をアナログ楽器と呼ぶ。
図１は、この発明の一実施形態に係るアナログ楽器のディジタルインターフェイスを内蔵したアナログ楽器の一例を示す図である。
図１に示すように、この例のアナログ楽器のディジタルインターフェイス（Digital Interface：以下、「Ｄ・Ｉ／Ｆ」と呼ぶ。）１０は、アナログ楽器であるエレクトリックギター（Electric Guitar：以下、「ＥＧ」と呼ぶ。）１のボディ２内に内蔵されている。このＥＧ１に内蔵されたＤ・Ｉ／Ｆ１０は、例えばＥＧ１のボディ２に取り付けられＥＧ１の弦の振動を検出して電気信号に変換して出力するピックアップ３と直接配線接続されると共に、後述する入出力機器インターフェイス（以下、「入出力機器Ｉ／Ｆ」と呼ぶ。）に設けられたディジタル入出力端子に接続されたケーブル９０を介してコンピュータ（Personal Computer：以下、「ＰＣ」と呼ぶ。）９９と接続され、更に、入出力機器Ｉ／Ｆのアナログ出力端子に接続されたアナログシールドケーブル９１を介してプリアンプ及びパワーアンプを内蔵し、音出力装置としてスピーカ９２が取り付けられたギターアンプ９８に接続されている。
【００１３】
図２は、このＤ・Ｉ／Ｆ１０の構成の一部を示すブロック図である。
上述したように、ＰＣ９９と接続されているケーブル９０は、例えばＤ・Ｉ／Ｆ１０に設けられたディジタル入出力端子１１に接続されているため、ＰＣ９９からＤ・Ｉ／Ｆ１０に送られるディジタルオーディオ信号やＥＧ１のコントロール信号等のディジタルオーディオデータ（Digital Audio Data：以下、「ＤＡＤ」と呼ぶ。）は、ＦＩＦＯ１５に格納された後、入出力機器Ｉ／Ｆ３０に出力されると共に、このＤ・Ｉ／Ｆ１０からＰＣ９９に送られるＤＡＤは、入出力機器Ｉ／Ｆ３０からＦＩＦＯ１７に格納された後、ディジタル入出力端子１１及びケーブル９０を介してＰＣ９９に出力される。なお、ＤＡＤにはディジタルオーディオ信号とコントロール信号が含まれるものとする。ディジタル入出力端子１１としては、例えばＵＳＢ（Universal Serial Bus）端子やＩＥＥＥ（The Institute of Electrical and Electronics Engineers, Inc.）１３９４端子などを利用することができる。
【００１４】
演奏の際にＥＧ１の弦が弾かれると、弦に振動が発生し、ＥＧ１のピックアップ３はこの振動を検出し電気信号に変換してアナログオーディオ信号として出力する。このＥＧ１のピックアップ３により検出され電気信号に変換されたアナログオーディオ信号（Analog Audio Signal：以下、「ＡＡＳ」と呼ぶ。）やアナログ入力端子１２に接続された図示しない外部機器（例えば、他のＥＧ）からＤ・Ｉ／Ｆ１０に入力されたＡＡＳは、Ａ／Ｄ変換器１８でディジタル変換され、ＤＡＤとしてＦＩＦＯ１４に格納された後、入出力機器Ｉ／Ｆ３０に出力される。ＦＩＦＯ１４，１５から出力され入出力機器Ｉ／Ｆ３０に入力されたＤＡＤは、信号処理手段としてのＤＳＰ（Digital Signal Processor）３１に出力され、このＤＳＰ３１でピッチ検出、圧縮エンコード処理、ミキシング処理及びエフェクト処理等の楽音の信号処理が行われる。
【００１５】
入出力機器Ｉ／Ｆ３０は、Ｄ・Ｉ／Ｆ１０の全体を統括的に制御するメインコントローラ３２からの指示により、ＤＳＰ３１へのＤＡＤの出力及びＤＳＰ３１からのＤＡＤの入力を行うと共に、ＦＩＦＯ１４〜１７からの入力／出力の切り替えを行う。メインコントローラ３２は、入出力機器Ｉ／Ｆ３０、入出力コントローラ３３及びバスコントローラ３５を制御すると共に、クロック回路３６及びＤＳＰ３１の動作を制御する。入出力コントローラ３３は、入出力インターフェイス（以下、「入出力Ｉ／Ｆ」と呼ぶ。）３４に接続されている、例えば２つの回転及び引上げ・引下げ式ボリューム（音量）コントロールスイッチ（以下、「ＶＣＳ」と呼ぶ。）２０，２１と、１つの回転及び引上げ・引下げ式トーン（音色）コントロールスイッチ（以下、「ＴＣＳ」と呼ぶ。）２２と、７つの押しボタン式エフェクトスイッチ（以下、「ＰＥＳ」と呼ぶ。）２３〜２９とからの信号の入出力切替制御を行う。バスコントローラ３５は、ディジタル入出力端子１１に接続されたＰＣ９９との間に構築されたバスの制御を行う。
【００１６】
ここで、このＤ・Ｉ／Ｆ１０におけるＤＡＤ（ディジタルオーディオ信号、コントロール信号等）の扱いについて図３〜図５を用いて説明する。なお、ここでは一例としてＵＳＢを用いた場合について説明する。Ｄ・Ｉ／Ｆ１０では、等時間性転送とバースト転送の２種類のデータ転送方式（転送形態）を実施している。即ち、図３に示すように、本発明のＤ・Ｉ／Ｆ１０では、ＰＣ９９等との１つの信号バスライン上で、ＤＡＤのうちのディジタルオーディオ信号については等時間性転送によりデータ転送を行い、コントロール信号についてはバースト転送で割り込み要求が発生した時にバスラインでの空き状況に合わせて転送を行っている。等時間性転送とは、図４に示すように、一定時間に転送するデータの量を保証する転送方式であり、例えばＰＣＭ（Pulse Code Modulation）データ等は必ずこのタイプの転送方式で処理されている。この転送方式では圧縮されたディジタルオーディオ信号でも利用することができ、比較的短い時間でデータ転送のタイミングとデコードのタイミングが厳密に一致しなければならない場合に用いられる。但し、例えばＰＣ９９に録音するときなどは、ＰＣＭデータで転送しＰＣＭデータのままＰＣ９９内のＨＤＤ（Hard Disk Drive）に書き込むなどのデコードが必要のない場合もあるが、この場合においても時間管理の観点から転送においては等時間性の厳守が必要となる。一方、バースト転送とは、図５に示すように、ある時間間隔で転送レートを保証する点は上記等時間性転送と同様であるが、等時間性転送よりもその条件が緩やかになる転送方式であり、この方式は圧縮されたディジタルオーディオ信号で有利になるものである。この方式ではデコードのタイミングさえ間に合えば、いつ転送しても構わなく、バッファリングさえ可能であれば、転送可能なときに一気に送りつけることができため、コントロール信号の転送に用いられる。
【００１７】
即ち、ＤＡＤのうち、ＥＧ１のピックアップ３やＰＣ９９から出力されＤ・Ｉ／Ｆ１０に入力されたディジタルオーディオ信号は、リングバッファとしてのＦＩＦＯ１４，１５に蓄えられ、一定量の１パケットが形成される。メインコントローラ３２は、バスコントローラ３５を介して通常時にはＤＳＰ３１でデコードするタイミングと入出力機器Ｉ／Ｆ３０での転送タイミングの同期とりを行い、転送タイミング毎に１パケットのデータ転送（等時間性転送）を行う。このように、転送タイミングに合わせて、等時間に一定量のディジタルオーディオ信号を転送する。
【００１８】
一方、ＤＡＤのうち、ＥＧ１のＶＣＳ２０，２１、ＴＣＳ２２及びＰＥＳ２３〜２９等の操作等により発生するコントロール信号は、リアルタイム性を要求するため上述したバースト転送が行われる。即ち、演奏者等の操作によりコントロール信号が発生し、入出力コントローラ３３において割り込み転送の要求がでると、メインコントローラ３２では、コントロール信号のパケットの発行を行い、バスコントローラ３５を介してバスライン上での等時間性転送におけるバスの空きタイミング時に、コントロール信号のパケットをバースト転送にて転送する。このように、メインコントローラ３２では、転送するデータのパケットに応じて、等時間性転送とバースト転送とを適宜行いながらデータの遣り取りを行う。
【００１９】
クロック回路３６は、バスコントローラ３５で制御されるＰＣ９９のワードクロックとメインコントローラ３２の動作クロックとの同期・非同期を判定し、適切なクロックを選択してＤＳＰ３１及び入出力機器Ｉ／Ｆ３０に供給する。これらバスコントローラ３５及びクロック回路３６は、複数のＰＣを接続した場合にも同様の処理を行う。
【００２０】
一方、Ｄ・Ｉ／Ｆ１０は、このＤ・Ｉ／Ｆ１０を操作するための操作手段として、上述したように２つのＶＣＳ２０，２１と、１つのＴＣＳ２２と、７つのＰＥＳ２３〜２９とを備えている。これらＶＣＳ２０，２１、ＴＣＳ２２及びＰＥＳ２３〜２９は、ＥＧ１のボディ２の所定位置（演奏者等が操作し易い位置）に配設される。Ｄ・Ｉ／Ｆ１０が備えるこれらＶＣＳ２０，２１、ＴＣＳ２２及びＰＥＳ２３〜２９からの操作信号は、入出力Ｉ／Ｆ３４に入力され、入出力コントローラ３３を介してメインコントローラ３２に入力される。入出力コントローラ３３は、入出力Ｉ／Ｆ３４に入力されたＶＣＳ２０，２１、ＴＣＳ２２及びＰＥＳ２３〜２９の信号を判断してメインコントローラ３２に出力する。メインコントローラ３２は、入出力コントローラ３３からの信号に基づきＤＳＰ３１や入出力Ｉ／Ｆ３０に指示を出し、所定のＤＡＤ等に対して所定の楽音の信号処理を適宜行うように制御する。
【００２１】
このＤＳＰ３１での信号処理に対しては、ＶＣＳ２０，２１及びＴＣＳ２２やＰＥＳ２３〜２９等の操作手段を用いて演奏者等が好みのエフェクト処理等をかけることができる。例えば、通常、ＶＣＳ２０，２１及びＴＣＳ２２を引下げた状態の場合、ＶＣＳ２０，２１はＥＧ１のピックアップ３により拾われたＡＡＳを直接アナログ出力端子に出力する際の音量調整スイッチとして使用され、ＴＣＳ２２は音色調整スイッチとして使用されるが、ＶＣＳ２０，２１及びＴＣＳ２２を引上げた状態の場合には、これらＶＣＳ２０，２１及びＴＣＳ２２からの操作信号は入出力Ｉ／Ｆ３４及び入出力コントローラ３３を介してメインコントローラ３２に送信され、メインコントローラ３２が制御するＤＳＰ３１での信号処理の音量・音色調整スイッチとして使用することができる。
【００２２】
また、ＰＥＳ２３〜２９からの操作信号も入出力Ｉ／Ｆ３４及び入出力コントローラ３３を介してメインコントローラ３２に送信されるため、ＰＥＳ２３〜２９を同様にメインコントローラ３２が制御するＤＳＰ３１での信号処理（特にエフェクト処理）の操作に用いるスイッチとして使用することができる。この例では、例えばＰＥＳ２３は、ＤＳＰ３１でのエフェクト処理のオン／オフ切替スイッチ及びＶＣＳ２０，２１のディジタル／アナログ切替スイッチとして使用され、ＰＥＳ２４〜２６は、ＤＳＰ３１でのエフェクト処理のパラメータ調整スイッチとして使用され、ＰＥＳ２７〜２９は、ＤＳＰ３１に予め設定されたエフェクト処理を呼び出すためのプリセットスイッチとして使用されている。
【００２３】
図６は、これらＶＣＳ２０，２１、ＴＣＳ２２及びＰＥＳ２３〜２９を用いた音量調整処理に伴うメインコントローラ３２での処理の一例を示すフローチャートである。
まず、演奏者等がＶＣＳ２０，２１又はＴＣＳ２２を引上げ／引下げることにより、機能の切り替えが行われたか否かをメインコントローラ３２は判断し（Ｓ１）、切り替えが行われなかった場合はそのままの状態を継続する。一方、ステップＳ１で機能の切り替えが行われた場合、次に、メインコントローラ３２はＰＥＳ２３からの操作信号の有無により操作するエフェクト機能がオフであるか否かを判断する（Ｓ２）。
【００２４】
エフェクト機能がオフである場合、メインコントローラ３２は、ＶＣＳ２０，２１及びＴＣＳ２２のディジタル／アナログ切替スイッチＳＷ１〜３をアナログ側へ切り替えて、ＶＣＳ２０，２１及びＴＣＳ２２での音量・音色調整をアナログ処理で行うように制御をすると共に、バスコントローラ３５にＰＣ９９へ切替通知を行うように指示を出す（Ｓ３）。なお、ＰＣ９９では、例えばこのＤ・Ｉ／Ｆ１０に対応するアプリケーション（ソフトウェア）が起動していれば、バスコントローラ３５からの切替通知によりＰＣ９９でのディジタルによる音量・音色調整をＥＧ１側から停止する等の制御が可能となる。
【００２５】
一方、エフェクト機能がオンである場合、メインコントローラ３２は、ＶＣＳ２０，２１及びＴＣＳ２２のディジタル／アナログ切替スイッチＳＷ１〜３をディジタル側へ切り替えると共に、ＰＥＳ２７〜２９からの操作信号の有無によりプリセット機能の有無を判断する（Ｓ４）。プリセット機能がオンである場合は、メインコントローラ３２は、バスコントローラ３５にＰＣ９９へのプリセット通知を行うように指示を出すと共に、プリセット機能に対応したＶＣＳ２０，２１及びＴＣＳ２２の音量・音色調整をＤＳＰ３１で可能にする（Ｓ５）。ＰＣ９９では、バスコントローラ３５からのプリセット通知により所定のプリセットされたエフェクト等のアプリケーションを呼び出して起動し、呼び出したアプリケーション等に対して上記と同様にディジタルによる音量・音色調整や、ＰＣ９９側のアプリケーション等で予め割り当てているＶＣＳ２０，２１及びＴＣＳ２２によるパラメータのコントロール等を可能にする。
【００２６】
一方、プリセット機能がオフである場合は、メインコントローラ３２は、バスコントローラ３５にＰＣ９９へのエフェクト切替通知を行うように指示を出すと共に、エフェクト機能に対応したＶＣＳ２０，２１及びＴＣＳ２２の音量・音色調整をＤＳＰ３１で可能にする（Ｓ６）。ＰＣ９９では、バスコントローラ３５からのエフェクト切替通知により所定のエフェクト等の切り替えを行い、上記と同様に音量・音色調整やエフェクトのパラメータ調整等のコントロールを可能にする。これにより、例えば、エフェクト機能を備えるＰＣ９９のエフェクトの操作をＥＧ１から行いつつ、バッキング音をＰＣ９９から出力し、例えばいわゆるユニゾン演奏やマイナスワン演奏を行うといった多様な演出等が可能となる。
【００２７】
このように、このＤ・Ｉ／Ｆ１０を用いれば、Ｄ・Ｉ／Ｆ１０内でのＤＳＰ３１による楽音の信号処理のみならず、Ｄ・Ｉ／Ｆ１０に接続したＰＣ９９等との連携による信号処理等も可能になるため、操作性や利便性を向上させることができる。なお、上述した例では、このＤ・Ｉ／Ｆ１０を内蔵したＥＧ１をＰＣ９９とギターアンプ９８とに接続した場合について説明したが、例えば図７に示すように、ＥＧ１をＰＣ９９に接続し、更にＰＣ９９を外部のネットワークサーバ９７に接続して演奏等を行ったり、図８に示すように、ＥＧ１をステレオ９６等の既存のオーディオ機器に接続して連動させて演奏したりすること等が可能となる。また、図９に示すように、Ｄ・Ｉ／Ｆ１０を内蔵し、ギターアンプ９８やＰＣ９９と接続されたＥＧ１に、通常のＥＧ１´を接続して演奏等することや、Ｄ・Ｉ／Ｆ１０を内蔵したＥＧ１をいわゆるディジーチェーン接続で複数接続して演奏等することも可能となり、操作性や利便性を更に向上させることも可能となる。なお、この例のＤ・Ｉ／Ｆ１０は、ＥＧ１本体に内蔵されたタイプであったが、ＥＧ１本体に搭載するタイプ（外付けタイプ）や非搭載型のタイプのＤ・Ｉ／Ｆでも同様の効果を得ることができることはいうまでもない。また、このＤ・Ｉ／Ｆを用いれば、１つのＥＧ１から複数のＰＣを制御すること等も期待できる。
【００２８】
【発明の効果】
以上述べたように、本発明によれば、アナログ楽器のディジタルインターフェイス内に入出力機器インターフェイス及び信号処理手段を備えるため、例えば楽音の信号処理を施したディジタルオーディオ信号を直接外部のＡＶ機器等に出力することができる。このため、アナログオーディオ信号を別途ディジタル化してアナログ楽器をディジタル的に取り扱うためのディジタル化機器等の機材投資費を抑えることができる。また、操作手段により信号処理手段の制御を指示することができるため、楽器の手元でディジタルオーディオ信号にエフェクト処理等の楽音の信号処理を施すことが可能となり、利便性を向上させることができる。更に、ディジタル入出力端子を備える入出力機器インターフェイスを有するため、例えば操作手段で外部に接続した外部機器等のソフトウェアをコントロールしたり、外部機器等から信号処理手段の動作をコントロールしたりするなどの双方向コントロールを実現することが期待できる。
【図面の簡単な説明】
【図１】  この発明の一実施形態に係るアナログ楽器のディジタルインターフェイスを内蔵したアナログ楽器の一例を示す図である。
【図２】  同ディジタルインターフェイスの構成の一部を示すブロック図である。
【図３】  同ディジタルインターフェイスでのデータ転送方式を示す概念図である。
【図４】  等時間性転送を示す概念図である。
【図５】  バースト転送を示す概念図である。
【図６】  同ディジタルインターフェイスの音量調整処理に伴うメインコントローラでの処理の一例を示すフローチャートである。
【図７】  同ディジタルインターフェイスを内蔵したアナログ楽器の一接続例を示す図である。
【図８】  同ディジタルインターフェイスを内蔵したアナログ楽器の他の接続例を示す図である。
【図９】  同ディジタルインターフェイスを内蔵したアナログ楽器の他の接続例を示す図である。
【符号の説明】
１…エレクトリックギター、２…ボディ、３…ピックアップ、１０…ディジタルインターフェイス、１１…ディジタル入出力端子、１２…アナログ入力端子、１４〜１７…ＦＩＦＯ、１８…Ａ／Ｄ変換器、２０，２１…ボリュームコントロールスイッチ、２２…トーンコントロールスイッチ、２３〜２９…エフェクトスイッチ、３０…入出力機器インターフェイス、３１…ＤＳＰ、３２…メインコントローラ、３３…入出力コントローラ、３４…入出力インターフェイス、３５…バスコントローラ、３６…クロック回路、９０…ケーブル、９１…アナログシールドケーブル、９２…スピーカ、９８…ギターアンプ、９９…パーソナルコンピュータ。
【図１】
0003879537.tif 000002
【図２】
0003879537.tif 000003
【図３】
0003879537.tif 000004
【図４】
0003879537.tif 000005
【図５】
0003879537.tif 000006
【図６】
0003879537.tif 000007
【図７】
0003879537.tif 000008
【図８】
0003879537.tif 000009
【図９】
0003879537.tif 000010